(57)【特許請求の範囲】
【請求項１】
２つの磁性体部と、前記２つの磁性体部間に形成された非磁性体部と、前記非磁性体部に形成された第１のコイル、第２のコイルと、その一端部が前記第１のコイルと接続されかつその他端部を開放するようにした１つのオープンコイルと、前記第１のコイルと第２のコイルからなるコモンモードフィルタ部とを備え、前記第２のコイルを前記第１のコイルと互いに磁気結合するように前記第１のコイルの上方に形成し、前記オープンコイルを前記第２のコイルの上方に位置して前記コモンモードフィルタ部と磁気結合させるようにしたコモンモードノイズフィルタ。
【請求項２】
非磁性体部においてオープンコイルを上下方向に形成され、互いに接続された複数のコイル状導体で構成し、前記複数のコイル状導体のうち少なくとも１つの巻方向を他のコイル状導体、第１、第２のコイルの巻方向と上面視にて逆方向になるようにした請求項１記載のコモンモードノイズフィルタ。
【請求項３】
オープンコイルを構成する互いに接続された複数のコイル状導体のうち他端部が開放されたコイル状導体を第２のコイルに隣接させるように積層し配置した請求項１記載のコモンモードノイズフィルタ。
【請求項４】
上方の磁性体部とオープンコイルとの間に互いに磁気結合する第３のコイルと第４のコイルを設け、前記第３のコイルと第４のコイルからなる他のコモンモードフィルタ部を備え、第１のコイルと前記第３のコイルを接続するとともに第２のコイルと前記第４のコイルを接続した請求項１記載のコモンモードノイズフィルタ。
【請求項５】
第２のコイルと第４のコイルを、オープンコイルに隣接させた請求項４記載のコモンモードノイズフィルタ。
【発明の詳細な説明】
【技術分野】
【０００１】
本発明は、デジタル機器やＡＶ機器、情報通信端末等の各種電子機器の差動信号線路間に使用されるコモンモードノイズフィルタに関するものである。
【背景技術】
【０００２】
従来のこの種のコモンモードノイズフィルタは、図１７に示すように、積層された複数の絶縁体層１ａ〜１ｆに形成された第１のコイル２と第２のコイル３とを有し、第１のコイル２、第２のコイル３は、それぞれ引出用導体４、５と接続され、また、最下面に設けられた絶縁体層１ａと最上面に設けられた絶縁体層１ｆは磁性材料で構成され、他の絶縁体層１ｂ〜１ｅは非磁性材料で構成されていた。そして、第１のコイル２と第２のコイル３とを磁気結合させてコモンモードノイズを除去するようにしていた。
【０００３】
なお、この出願の発明に関する先行技術文献情報としては、例えば、特許文献１が知られている。
【先行技術文献】
【特許文献】
【０００４】
【特許文献１】特開平８−２０３７３７号公報
【発明の概要】
【発明が解決しようとする課題】
【０００５】
上記した従来のコモンモードノイズフィルタにおいては、ディファレンシャルモード（ノーマルモード）成分に対して損失が小さいため、不要なディファレンシャルモードノイズをほとんど除去できないという課題を有していた。
【０００６】
本発明は上記従来の課題を解決するもので、コモンモードノイズだけでなく、特定の周波数帯域におけるディファレンシャルモードノイズを除去することができるコモンモードノイズフィルタを提供することを目的とするものである。
【課題を解決するための手段】
【０００７】
上記目的を達成するために本発明は、以下の構成を有するものである。
【０００８】
本発明の請求項１に記載の発明は、２つの磁性体部と、前記２つの磁性体部間に形成された非磁性体部と、前記非磁性体部に形成された第１のコイル、第２のコイルと、その一端部が前記第１のコイルと接続されかつその他端部を開放するようにした１つのオープンコイルと、前記第１のコイルと第２のコイルからなるコモンモードフィルタ部とを備え、前記第２のコイルを前記第１のコイルと互いに磁気結合するように前記第１のコイルの上方に形成し、前記オープンコイルを前記第２のコイルの上方に位置して前記コモンモードフィルタ部と磁気結合させるようにしたもので、この構成によれば、第２のコイルとオープンコイルとの間の浮遊容量とオープンコイルのインダクタンス成分によるＬＣ共振が発生するため、ディファレンシャルモードノイズを除去することができ、また、コモンモードフィルタ部によって、多くのコモンモードノイズを除去できるという作用効果を有するものである。
【０００９】
本発明の請求項２に記載の発明は、特に、非磁性体部においてオープンコイルを上下方向に形成され、互いに接続された複数のコイル状導体で構成し、前記複数のコイル状導体のうち少なくとも１つの巻方向を他のコイル状導体、第１、第２のコイルの巻方向と上面視にて逆方向になるようにしたもので、この構成によれば、第２のコイルとオープンコイルの間に発生する浮遊容量を減らすことなく、巻方向が互いに異なる方向のコイル状導体同士でインダクタンス成分をある程度相殺するため、オープンコイル全体のインダクタンス値が下がり、これにより、巻方向が異なる方向のコイル状導体の数、巻き数等によって容易にオープンコイル全体のインダクタンス値を調整できるため、ディファレンシャルモードノイズの減衰極の周波数を制御できるという作用効果を有するものである。
【００１０】
本発明の請求項３に記載の発明は、特に、オープンコイルを構成する互いに接続された複数のコイル状導体のうち他端部が開放されたコイル状導体を第２のコイルに隣接させるように積層し配置したもので、この構成によれば、第２のコイルとの間で浮遊容量を開放端側で構成できるため、ＬＣ共振に直接的に寄与するオープンコイルのインダクタンス値を大きくすることができるため、ディファレンシャルモードノイズの減衰極の周波数を低くすることができるという作用効果を有するものである。
【００１３】
本発明の請求項４に記載の発明は、特に、上方の磁性体部とオープンコイルとの間に互いに磁気結合する第３のコイルと第４のコイルを設け、前記第３のコイルと第４のコイルからなる他のコモンモードフィルタ部を備え、第１のコイルと前記第３のコイルを接続するとともに第２のコイルと前記第４のコイルを接続したもので、この構成によれば、オープンコイルをコモンモードフィルタ部と他のコモンモードフィルタ部との間に形成できるため、コモンモードフィルタ部、他のコモンモードフィルタ部と磁性体部とを近づけることができ、さらに、２つのコモンモードフィルタ部同士を磁気結合させることができるため、コモンモード成分のインピーダンスを高くすることができ、これにより、多くのコモンモードノイズを除去できるという作用効果を有するものである。
【００１４】
本発明の請求項５に記載の発明は、特に、第２のコイルと第４のコイルを、オープンコイルに隣接させたもので、この構成によれば、オープンコイルと第２のコイルとの間、オープンコイルと第４のコイルとの間で浮遊容量が発生するため、コイルとオープンコイルとの間の浮遊容量を大きくすることができ、これにより、ディファレンシャルモードノイズの減衰極の周波数を低くすることができるという作用効果を有するものである。
【発明の効果】
【００１５】
以上のように本発明のコモンモードノイズフィルタは、第２のコイルを第１のコイルと互いに磁気結合するように前記第１のコイルの上方に形成し、第１のコイルと一端部を接
続し、かつその他端部を開放するようにした１つのオープンコイルを前記第２のコイルの上方に位置してコモンモードフィルタ部と磁気結合させているため、第２のコイルとオープンコイルとの間の浮遊容量とオープンコイルのインダクタンス成分によるＬＣ共振が差動線路間で発生し、これにより、ディファレンシャルモードノイズを除去することができるという優れた効果を奏するものである。
【図面の簡単な説明】
【００１６】
【図１】本発明の実施の形態１におけるコモンモードノイズフィルタの分解斜視図
【図２】同コモンモードノイズフィルタの斜視図
【図３】同コモンモードノイズフィルタの内部接続模式図
【図４】同コモンモードノイズフィルタのディファレンシャルモード挿入損失の周波数依存性を示す特性図
【図５】同コモンモードノイズフィルタの他の例の分解斜視図
【図６】本発明の実施の形態２におけるコモンモードノイズフィルタの分解斜視図
【図７】同コモンモードノイズフィルタの他の例の分解斜視図
【図８】同コモンモードノイズフィルタの内部接続模式図
【図９】同コモンモードノイズフィルタの内部接続模式図
【図１０】本発明の実施の形態３におけるコモンモードノイズフィルタの分解斜視図
【図１１】同コモンモードノイズフィルタの内部接続模式図
【図１２】本発明の実施の形態４におけるコモンモードノイズフィルタの分解斜視図
【図１３】本発明の実施の形態５におけるコモンモードノイズフィルタの分解斜視図
【図１４】同コモンモードノイズフィルタの内部接続模式図
【図１５】同コモンモードノイズフィルタの他の例の分解斜視図
【図１６】同コモンモードノイズフィルタの内部接続模式図
【図１７】従来のコモンモードノイズフィルタの分解斜視図
【発明を実施するための形態】
【００１７】
（実施の形態１）
以下、実施の形態１を用いて、本発明の特に請求項１、２に記載の発明について説明する。
【００１８】
図１は本発明の実施の形態１におけるコモンモードノイズフィルタの分解斜視図、図２は同コモンモードノイズフィルタの斜視図である。
【００１９】
本発明の実施の形態１におけるコモンモードノイズフィルタは、図１、図２に示すように、第１、第２の磁性体層１１ａ、１１ｂで構成される磁性体部１２と、第１の磁性体層１１ａと第２の磁性体層１１ｂの間に位置する第１〜第５の絶縁体層１３ａ〜１３ｅからなる非磁性体部１４と、前記非磁性体部１４に形成された第１のコイル１５、第２のコイル１６、オープンコイル１７と、前記第１のコイル１５と第２のコイル１６からなるコモンモードフィルタ部１８とを備えている。
【００２０】
また、前記第２のコイル１６を前記第１のコイル１５と互いに磁気結合するように前記第１のコイル１５の上方に形成し、前記オープンコイル１７を前記第２のコイル１６の上方に位置して前記コモンモードフィルタ部１８と磁気結合させるとともに、前記オープンコイル１７の一端部１７ａと前記第１のコイル１５とを接続し、かつその他端部１７ｂを開放するようにしている。
【００２１】
上記構成において、第１、第２の磁性体層１１ａ、１１ｂは、シート状に構成され、Ｎｉ−Ｃｕ−Ｚｎフェライト等の磁性材料で形成されている。また、第１の磁性体層１１ａと、第２の磁性体層１１ｂは、上下に分かれて形成され、かつそれぞれ磁性体部１２を構成している。
【００２２】
前記第１〜第５の絶縁体層１３ａ〜１３ｅは、下から第１の絶縁体層１３ａ、第２の絶縁体層１３ｂ、第３の絶縁体層１３ｃ、第４の絶縁体層１３ｄ、第５の絶縁体層１３ｅの順に積層され、また、Ｃｕ−Ｚｎフェライト、ガラスセラミック等の非磁性材料によりシート状に構成されている。そして、これら第１〜第５の絶縁体層１３ａ〜１３ｅによって非磁性体部１４が構成される。
【００２３】
さらに、前記第１のコイル１５、第２のコイル１６、オープンコイル１７は、それぞれ銀等の導電材料を渦巻状にめっきまたは印刷することにより形成されている。そして、第１のコイル１５は第２の絶縁体層１３ｂの上面、第２のコイル１６は第３の絶縁体層１３ｃの上面、オープンコイル１７は、第４の絶縁体層１３ｄの上面にそれぞれ形成されている。すなわち、下から第１のコイル１５、第２のコイル１６、オープンコイル１７の順に構成される。ここで、上面視にて第１のコイル１５、第２のコイル１６、オープンコイル１７は、略同じ位置に配置し、かつ巻き方向も上面視にて同一方向としている。ここで、巻き方向が同一方向とは、同じ方向にコモン電流が流れることをいう。そして、第１のコイル１５と第２のコイル１６とを磁気結合させてコモンモードフィルタ部１８を構成し、さらに、オープンコイル１７とコモンモードフィルタ部１８も磁気結合している。なお、第１のコイル１５、第２のコイル１６、オープンコイル１７の形状は、渦巻状ではなく螺旋状でもよい。
【００２４】
また、第１のコイル１５は、第２の絶縁体層１３ｂに形成された第１のビア電極１９ａを介して、第１の絶縁体層１３ａに形成された第１の引出用導体２０と接続され、第２のコイル１６は、第２、第３の絶縁体層１３ｂ、１３ｃに形成された２つの第２のビア電極１９ｂを介して、第１の絶縁体層１３ａに形成された第２の引出用導体２１と接続されている。なお、第１の引出用導体２０と第２の引出用導体２１は、互いに異なる絶縁体層に形成してもよい。
【００２５】
さらに、２つの第２のビア電極１９ｂはそれぞれ上面視にて同じ位置に設けられている。また、第１のビア電極１９ａ、第２のビア電極１９ｂは、絶縁体層の所定の箇所に、レーザで孔あけ加工をし、この孔に銀を充填して形成する。なお、第１、第２の磁性体層１１ａ、１１ｂ、第１〜第５の絶縁体層１３ａ〜１３ｅの枚数は、図１に示された枚数に限られるものではない。
【００２６】
そして、上記した構成により、コモンモードノイズフィルタの本体部２２が形成される。また、この本体部２２の両側面には、第１〜第４の外部電極２３〜２６が設けられ、そしてこの第１の外部電極２３は、第１のコイル１５の一端部１５ａおよびオープンコイル１７の一端部１７ａと接続している。これにより、第１のコイル１５とオープンコイル１７の一端部１７ａが第１の外部電極２３を介して接続される。なお、オープンコイル１７の他端部１７ｂは、外部電極とは接続されずに開放されている。さらに、第２〜第４の外部電極２４〜２６は、それぞれ第２のコイル１６の一端部１６ａ、第１の引出用導体２０の一端部２０ａ、第２の引出用導体２１の一端部２１ａと接続している。さらに、前記第１〜第４の外部電極２３〜２６は、本体部２２の側面に銀を印刷することにより形成され、またこれらの表面にめっきによってニッケルめっき層を形成するとともに、このニッケルめっき層の表面にめっきによってすずやはんだ等の低融点金属めっき層を形成する。
【００２７】
図３は、上記した本発明の実施の形態１におけるコモンモードノイズフィルタの接続模式図である。
【００２８】
図３からも明らかなように、第１の外部電極２３および第２の外部電極２４から入ってくるコモンモードノイズを、第１のコイル１５と第２のコイル１６によって除去できるとともに、第２のコイル１６とオープンコイル１７との間に浮遊容量（Ｃ成分）が発生して、この浮遊容量とオープンコイル１７のインダクタンス成分（Ｌ成分）によるＬＣ共振回路が構成される。
【００２９】
すなわち、第１の外部電極２３と第３の外部電極２５を通る線路と、第２の外部電極２４と第４の外部電極２６を通る線路で形成される差動線路間に、第２のコイル１６とオープンコイル１７との間に浮遊容量（Ｃ成分）とオープンコイル１７のインダクタンス成分（Ｌ成分）が生じ、そして、ディファレンシャルモードの際にこの差動線路間のＬＣ成分によってＬＣ共振が発生し、ディファレンシャルモードノイズが減衰する。
【００３０】
上記したように本発明の実施の形態１におけるコモンモードノイズフィルタにおいては、第２のコイル１６を第１のコイル１５と互いに磁気結合するように第１のコイル１５の上方に形成し、オープンコイル１７を第２のコイル１６の上方に位置してコモンモードフィルタ部１８と磁気結合させるとともに、オープンコイル１７の一端部１７ａと第１のコイル１５とを接続し、かつその他端部１７ｂを開放するようにしているため、ディファレンシャルモードの際に上述したように第２のコイル１６とオープンコイル１７との間の浮遊容量とオープンコイル１７のインダクタンス成分によるＬＣ共振が発生し、これにより、ディファレンシャルモードノイズを除去することができるという効果が得られるものである。また、オープンコイル１７は、コモンモードフィルタ部１８と磁気結合することで、少ない巻数で高いインダクタ値を得ることができるため、コイル巻数が少なくても所望のインダクタ値を容易に得ることができ、さらに、小型化も図れる。
【００３１】
そして、ＬＣ共振周波数を調整することで、特定の周波帯域、例えば８００〜９００ＭＨｚ帯や２ＧＨｚ帯の携帯電話の通信周波数帯、ＧＰＳ周波数帯等でのディファレンシャルモードノイズを選択的に低減することができる。
【００３２】
図４に本発明の実施の形態１におけるコモンモードノイズフィルタおよび従来のコモンモードノイズフィルタのディファレンシャルモードの挿入損失の周波数依存性を示す特性図を示す。
【００３３】
図４から明らかなように、本発明では第２のコイル１６とオープンコイル１７との間の浮遊容量、オープンコイル１７のインダクタンス成分を調整することで８００〜９００ＭＨｚでのディファレンシャルモードノイズを選択的に低減させることができる。
【００３４】
さらに、オープンコイル１７を１つとしているため、積層数も減らすことができる。
【００３５】
なお、上記した本発明の実施の形態１においては、オープンコイル１７を、第１のコイル１５、第２のコイル１６と巻き方向が上面視にて同一方向になるようにしたが、図５に示すように、オープンコイル１７を、第１のコイル１５、第２のコイル１６と巻き方向が逆になるようにしてもよい。
【００３６】
また、オープンコイル１７は１層で構成していたが、複数層で構成してもよい。
【００３７】
（実施の形態２）
以下、実施の形態２を用いて、本発明の特に請求項２、３に記載の発明について説明する。
【００３８】
図６は本発明の実施の形態２におけるコモンモードノイズフィルタの分解斜視図である。なお、この本発明の実施の形態２においては、上記した本発明の実施の形態１と同様の構成を有するものについては、同一符号を付しており、その説明は省略する。
【００３９】
本発明の実施の形態２が上記した本発明の実施の形態１と相違する点は、図６に示すように、オープンコイル１７を２つのコイル状導体２７ａ、２７ｂで構成した点である。
【００４０】
なお、前記実施の形態１においては、オープンコイル１７の巻数を減らすことでインダクタ値を減らすことができるが、同時に第２のコイル１６とオープンコイル１７の間の浮遊容量が減少してしまうため、ＬＣ共振周波数の調整が難しい。
【００４１】
一方、この実施の形態２においては、２つのコイル状導体２７ａ、２７ｂは上下方向に形成され、このコイル状導体２７ａ、２７ｂのうち下方に形成されたコイル状導体２７ａは、第１のコイル１５、第２のコイル１６と巻き方向が上面視にて同一方向になるようにし、上方のコイル状導体２７ｂは、これらと巻き方向が上面視にて逆方向になるようにしている。そして、第１のコイル１５と接続するオープンコイル１７の一端部１７ａは下方に形成されたコイル状導体２７ａに、オープンコイル１７の他端部１７ｂは上方に形成されたコイル状導体２７ｂにそれぞれ構成される。また、２つのコイル状導体２７ａ、２７ｂは第３のビア電極１９ｃによって接続されている。さらに、上方に形成されたコイル状導体２７ｂは第６の絶縁体層１３ｆに形成されている。
【００４２】
そして、この構成によって、第２のコイル１６とオープンコイル１７のコイル状導体２７ａの間で浮遊容量が発生した状態で、巻方向が異なる方向のコイル状導体２７ａ、２７ｂ同士でインダクタンス成分をある程度相殺するため、オープンコイル１７全体のインダクタンス値が下がり、これにより、巻方向が異なる方向のコイル状導体２７ａ、２７ｂの数、巻き数等によって容易にオープンコイル１７全体のインダクタンス値を調整でき、共振に必要な浮遊容量も減少することなく確保できるため、ディファレンシャルモードノイズの減衰極の周波数を容易に制御できる。
【００４３】
また、図７に示すように、オープンコイル１７を構成する複数のコイル状導体２７ａ、２７ｂのうち他端部１７ｂが開放されたコイル状導体２７ａを第２のコイル１６に隣接させるように積層し配置してもよい。この構成により、第２のコイル１６との間で浮遊容量を開放端側で構成できるため、ＬＣ共振に直接的に寄与するオープンコイル１７のインダクタンス値を大きくすることができるため、ディファレンシャルモードノイズの減衰極の周波数を低く調整することができる。
【００４４】
ここで、図８に図６のコモンモードフィルタにおける内部接続模式図、図９に図７のコモンモードフィルタにおける内部接続模式図それぞれを示す。
【００４５】
上記図６、図７に示したコモンモードノイズフィルタでは、ディファレンシャルモードノイズの減衰極の周波数を制御できたり、ディファレンシャルモードノイズの減衰極の周波数を低くすることができたりするため、特定の周波数帯域、例えば８００〜９００ＭＨｚ帯の携帯電話通信周波数帯でのディファレンシャルモードノイズを低減できる。
【００４６】
（実施の形態３）
以下、実施の形態３を用いて、本発明の特に請求項４に記載の発明について説明する。
【００４７】
図１０は本発明の実施の形態３におけるコモンモードノイズフィルタの分解斜視図である。なお、この本発明の実施の形態３においては、上記した本発明の実施の形態１と同様の構成を有するものについては、同一符号を付しており、その説明は省略する。
【００４８】
本発明の実施の形態３が上記した本発明の実施の形態１と相違する点は、図１０に示すように、第２のコイル１６の上方に配置され、第１のコイル１５に一端部を接続されかつ他端部１７ｂを開放した第１のオープンコイル２７ｂと第１のコイル１５の下方に位置してその一端部と第２のコイル１６とを接続しかつ他端部１７ｂを開放した第２のオープンコイル２７ａを備えた点である。
【００４９】
この構成によれば、２つの異なる共振回路を形成できるため、第１のオープンコイル、第２のオープンコイルのインダクタンス成分や第１のオープンコイルと第２のコイルとの間の浮遊容量、第２のオープンコイルと第１のコイルとの間の浮遊容量を調整することによって、ディファレンシャルモードノイズについて２つの異なる周波数帯で減衰極を作ることができ、これにより、広い周波数帯域でのディファレンシャルモードノイズの除去ができる。
【００５０】
このように構成することによって、図１１に示すように、２つの異なる共振回路を形成できるため、第２のコイル１６の上方の第１のオープンコイル２７ｂ、第１のコイル１５の下方の第２のオープンコイル２７ａそれぞれのインダクタンス成分や、第２のコイル上方の第１のオープンコイル２７ｂと第２のコイル１６との間の浮遊容量、第１のコイル下方の第２のオープンコイル２７ａと第１のコイル１５との間の浮遊容量を調整することができ、これにより、ディファレンシャルモードノイズについて２つの異なる周波数帯で減衰極を作ることができるため、広い周波数帯域でのディファレンシャルモードノイズの除去ができる。また、携帯電話の通信周波数帯は国によって複数存在し代表的には８００〜９００ＭＨｚと２ＧＨｚ帯があり、この２つの周波数帯に応じた共振周波数設定をすることで両方の周波数帯域でのディファレンシャルモードノイズを除去できる。さらに、上下方向に対して対称なため、方向性は無くなる。
【００５１】
なお、上記した本発明の実施の形態２、３においては、オープンコイル１７を構成するコイル状導体（第１、第２のオープンコイル）２７ａ、２７ｂを各々１つとしたが、複数でもよい。
【００５２】
（実施の形態４）
以下、実施の形態４を用いて、本発明の特に請求項５に記載の発明について説明する。
【００５３】
図１２は本発明の実施の形態４におけるコモンモードノイズフィルタの分解斜視図である。なお、この本発明の実施の形態４においては、上記した本発明の実施の形態１と同様の構成を有するものについては、同一符号を付しており、その説明は省略する。
【００５４】
本発明の実施の形態４が上記した本発明の実施の形態１と相違する点は、図１２に示すように、第２のコイル１６およびオープンコイル１７の一部にそれぞれ幅広部２８を形成し、この幅広部２８同士を上面視にて対向させた点である。
【００５５】
この構成によって、第２のコイル１６とオープンコイル１７との間の浮遊容量を大きくすることができるため、幅広部２８の大きさを調整することによって、ディファレンシャルモードノイズの減衰極の周波数を制御できる。なお、図１２においては、幅広部２８を第２のビア電極１９ｂ近辺に形成したが、他の部分であってもよい。
【００５６】
また、上記した本発明の実施の形態１〜４においては、オープンコイル１７と第１、第２のコイル１５、１６とは、外部電極２３、２４を介して接続したが、ビア電極を介して接続してもよい。
【００５７】
（実施の形態５）
以下、実施の形態５を用いて、本発明の特に請求項６、７に記載の発明について説明する。
【００５８】
図１３は本発明の実施の形態５におけるコモンモードノイズフィルタの分解斜視図である。なお、この本発明の実施の形態５においては、上記した本発明の実施の形態１と同様の構成を有するものについては、同一符号を付しており、その説明は省略する。
【００５９】
本発明の実施の形態５が上記した本発明の実施の形態１と相違する点は、図１３に示すように、オープンコイル１７の上方に互いに磁気結合する第３のコイル２９と第４のコイル３０を設け、第３のコイル２９と第４のコイル３０からなる他のコモンモードフィルタ部３１を備え、第１のコイル１５と第３のコイル２９を接続するとともに第２のコイル１６と第４のコイル３０をビア電極１９ａ、１９ｂを介して接続した点である。
【００６０】
なお、このとき、第１、第２の引出用導体２０、２１を形成せず、第３のコイル２９と第４のコイル３０は上方の磁性体部１２より下方に設ける。また、第３、第４の外部電極２５、２６はそれぞれ、第３のコイル２９の一端部２９ａ、第４のコイル３０の一端部３０ａに接続される。さらに、コイルが増えたことにより、第６の絶縁体層１３ｆを形成する必要がある。
【００６１】
このように構成することによって、オープンコイル１７をコモンモードフィルタ部１８と他のコモンモードフィルタ部３１との間に形成できるため、コモンモードフィルタ部１８、他のコモンモードフィルタ部３１と磁性体部１２とを近づけることができる。さらに、２つのコモンモードフィルタ部１８、３１を磁気結合させた状態で直列接続させることができるため、コモンモード成分のインピーダンスを高くすることができ、これにより、多くのコモンモードノイズを除去できる。
【００６２】
この場合も、図１４に示すように、第３のコイル２９とオープンコイル１７との間の浮遊容量とオープンコイル１７のインダクタンス成分によるＬＣ共振が発生するため、ディファレンシャルモードノイズを除去することができる。
【００６３】
また、図１５、図１６に示すように、第２のコイル１６と第４のコイル３０を、第１のコイル１５と第３のコイル２９よりもオープンコイル１７に近い位置に設けてもよく、この構成によって、オープンコイル１７と第２のコイル１６との間、オープンコイル１７と第４のコイル３０との間で浮遊容量が発生するため、コイルとオープンコイル１７との間の浮遊容量を大きくすることができ、これにより、ディファレンシャルモードノイズの減衰極の周波数をより低くすることができる。また、上下方向に対して対称なため、方向性は無くなる。
【００６４】
このとき、オープンコイル１７と接続された第１のコイル１５、第３のコイル２９を、オープンコイル１７に近接させても、これらは同電位のため、浮遊容量は発生しない。
【００６５】
なお、上記した本発明の実施の形態１〜５においては、絶縁体層の所定箇所に磁心となる磁性材料を形成してもよい。さらに、上下を逆に構成し、上側を実装面としてもよい。
【産業上の利用可能性】
【００６６】
本発明に係るコモンモードノイズフィルタは、コモンモードノイズだけでなく、特定の周波数帯域におけるディファレンシャルモードノイズを除去することができるという効果を有するものであり、特にデジタル機器やＡＶ機器、情報通信端末等の各種電子機器のノイズ対策として使用されるコモンモードノイズフィルタ等において有用となるものである。
【符号の説明】
【００６７】
１１ａ、１１ｂ  第１、第２の磁性体層
１２  磁性体部
１３ａ〜１３ｅ  第１〜第５の絶縁体層
１４  非磁性体部
１５  第１のコイル
１６  第２のコイル
１７  オープンコイル
１８  コモンモードフィルタ部
２７ａ  コイル状導体（第２のオープンコイル）
２７ｂ  コイル状導体（第１のオープンコイル）
２８  幅広部
２９  第３のコイル
３０  第４のコイル
３１  他のコモンモードフィルタ部
【図１】
0006010746.tif 000002
【図２】
0006010746.tif 000003
【図３】
0006010746.tif 000004
【図４】
0006010746.tif 000005
【図５】
0006010746.tif 000006
【図６】
0006010746.tif 000007
【図７】
0006010746.tif 000008
【図８】
0006010746.tif 000009
【図９】
0006010746.tif 000010
【図１０】
0006010746.tif 000011
【図１１】
0006010746.tif 000012
【図１２】
0006010746.tif 000013
【図１３】
0006010746.tif 000014
【図１４】
0006010746.tif 000015
【図１５】
0006010746.tif 000016
【図１６】
0006010746.tif 000017
【図１７】
0006010746.tif 000018